(57)【特許請求の範囲】
【請求項１】
ＣＲＴの消磁を行う消磁手段と、
電源の投入回数をカウントすることのできるカウンタ手段と、
該カウンタ手段のカウント値が所定値以上になったと判別された場合に、上記消磁手段を動作させるようにされた制御手段を備えている
ことを特徴とする表示装置。
【発明の詳細な説明】
【０００１】
【産業上の利用分野】
本発明は、ＣＲＴを表示デバイスとして備えると共に、このＣＲＴの消磁を行う消磁回路が備えられている表示装置に関するものである。
【０００２】
【従来の技術】
陰極線管（ＣＲＴ）を使用して映像を表示するテレビジョン受像機や、コンピュータなどに用いられるモニタ装置などの表示装置においては、ＣＲＴ自体が地磁気や外部磁気の影響によって、例えばアパーチャグリルなどが着磁したり、ＣＲＴ止め金具が着磁された状態になると、その磁界によって電子ビームの軌跡が変動し、色純度の劣化やラスタ歪みなどを発生することになる。
そこで、ＣＲＴを備えた表示装置においては、このＣＲＴに着磁する磁気を除去するためにＣＲＴの周辺に設けられた消磁コイル（デガウスコイル）と、消磁コイルに消磁電流を供給するための回路からなる消磁回路を備えたものが知られている。
【０００３】
そして、このような消磁回路を備えた表示装置では、電源オン時に常に自動的に消磁回路を動作させるようにされたものが多く知られている。例えば、電源がオンとされるのに伴い、商用周期の交流がポジスタ（正特性サーミスタ）を介して消磁コイルに供給するようにされる。すると、消磁コイルには図９に示すような徐々に減衰する正弦波状の交流電流が供給され、これによってＣＲＴの消磁が行われることになる。
このように電源オン時に自動的にＣＲＴの消磁を行うようにすれば、ユーザーはわざわざＣＲＴを消磁するのための操作を行う必要はなく、また、表示装置を利用するために電源を入れた時には、かならずＣＲＴの消磁がなされていることになる。
【０００４】
【発明が解決しようとする課題】
ところが、表示装置が一般的に使用される条件を考慮した場合、ほぼ日常的な操作である電源投入の頻度と比べ、それほど頻繁にＣＲＴが着磁することは考えにくい。つまり、現状では実際には必要ではないにもかかわらず無駄に消磁回路が動作する回数がかなり多いということになる。
例えば、消磁回路の回路に供給される電流は例えばピークで２０〜２５Ａ程度に及ぶことから、無駄に消磁回路が動作するだけその時消費される電力も無駄になり、またポジスタなどの消磁回路を形成する部品の寿命もそれだけ短くなるという問題を有することになる。また、電源が投入される度に消磁が行われることで、電源オン時には常に消磁により発生する音が聞こえたり、表示装置によっては最初の数秒感に表示されている画像が揺れたりするため、ユーザーに不快感を与えることにもなる。
【０００５】
【課題を解決するための手段】
そこで、本発明は上記した問題点を解決するため、ＣＲＴの消磁を行う消磁回路と、電源の投入回数をカウントすることのできるカウンタと、このカウンタのカウント値が所定値以上になったと判別された場合に、消磁回路を動作させるようにされた制御回路を備えて表示装置を構成することとした。
【０００７】
【作用】
上記構成によると、ＣＲＴが着磁したと想定される条件が起こった場合、あるいは実際にＣＲＴが着磁した状態を検出した場合に、消磁回路が動作することになり、これによって、できるだけ無駄に消磁動作の回数を減少させると共に、適正なタイミングでＣＲＴの消磁が行われるようになる。
また、外部磁界を検出した情報に基づいて表示を行うようにすれば、ＣＲＴを着磁させるような物を取り除くようにユーザーに促すことができる。
【０００８】
【実施例】
図１は本発明の表示装置の実施例として、テレビジョン受像機に適用した場合の構成を概略的に示すものである。
この図において、１は商用交流電源ＡＣを入力するＡＣプラグである。また２は電源部とされて、ＡＣプラグ１から供給された商用交流電源ＡＣから直流電圧を生成して、図のブロックごとに示す各機能回路部に対して電源として供給する。また、この電源部２は、ＣＲＴ７に設けられた消磁コイル８と消磁スイッチＳＷおよびポジスタＰを介して接続されて、消磁コイル８に消磁のための電流（図９に示す）を供給するようにされている。
【０００９】
３は例えば図示しないチューナーや外部入力端子などから供給された映像信号に各種信号処理を施す映像信号処理部とされ、ここで処理された映像信号は例えばＲＧＢ信号として合成器５を介してＣＲＴ７に供給される。４はＣＰＵ１０のキャラクタデータなどの設定に基づいてＲＧＢ信号を所定タイミングで出力するオンスクリーンディスプレイ４である。合成器５は映像信号処理部３のＲＧＢ信号に対してオンスクリーンディスプレイのＲＧＢ信号を合成してＣＲＴ７に供給し、これによりスーパインポーズ表示が可能となる。偏向系処理部６では、映像信号処理部から分離抽出した水平／垂直同期信号に基づいて水平／垂直偏向電流を生成して偏向コイル９に供給する。
ＣＲＴ７においては、消磁コイル８がシャドウマスクの周辺に取り付けられ、また、電子ビームを偏向させる偏向コイル９（水平及び垂直）がファンネル部に設けられている。
【００１０】
１０は、マイクロコンピュータ等により構成されて各機能回路部の制御を行うＣＰＵであり、本実施例の場合には後述するようにして所定の条件が与えられるとＣＲＴの消磁を実行するように構成される。
１１は各種データが記憶保持されるＲＡＭであり、１２はユーザーが各種操作を行うために設けられる操作部である。なお、図示しないが操作部１２の代わりにリモートコントローラにより同様の操作が行われるように構成されていても良い。１３は本実施例において後述する電源の投入回数をカウントするカウンタである。
【００１１】
１４は、後述する所定の絶対的時間あるいは機器の電源オンの延べ時間が計時されるタイマーとされる。また、センサ部１５は機器本体の動きや磁気等を検出した検出信号をＣＰＵ１０に出力し、制御部１０ではこの検出信号に基づいて消磁回路を動作させるが、これらタイマー１４およびセンサ部１５については他の実施例において後述する。
【００１２】
この実施例の消磁回路は、消磁コイル８と消磁スイッチＳＷ、及びポジスタＰからなる直列回路に電源部２が接続されて構成されている。例えば、制御部１０により消磁スイッチＳＷがオンに切換えられると、電源部２から商用周期の交流電源が消磁回路に供給されるが、ポジスタＰが温度上昇と共に抵抗値が増加するために、消磁コイル８に流れる消磁電流は図９に示したように減衰していき、数秒後にレベルが０となると消磁動作が完了する。
【００１３】
そして、本実施例の消磁動作としては、電源の投入回数が所定の回数行われるごとに消磁回路を動作させるように構成される。例えば通常の使用状態の場合、画像に影響を与える程度の着磁量は、一度電源を入れてテレビを見る程度の短期間では蓄積されない。
そこでこのようにすれば、電源が投入されるごとに消磁回路を動作させる場合と比べて無駄なＣＲＴの消磁が行われる回数は減少することになって、それだけ電力消費も節減される。
この実施例の場合、設定されるべき電源の投入回数は実際に画像に影響を与える平均的なＣＲＴの着磁量の蓄積期間などを考慮して任意に設定されればよく、また、この設定に関してはあらかじめ固定して設定されても良いし、さらにはユーザーにより任意に設定可能に構成されていてもよい。
【００１４】
図２は本実施例において、消磁回路を動作させる場合のＣＰＵ１０の処理動作を示すフローチャートである。このルーチンにおいては、先ず電源オフの状態で電源がオンとされるのを待機しており（F101) 、例えばユーザーの操作部１２の操作により電源がオンとされると、ステップF102に進んで電源の投入回数を示すカウンタ１３のカウント値ｎについて、ｎ＝ｎ＋１とカウント・アップしてこのカウント値ｎのデータをＲＡＭ１１にセットする。
そして、ステップF103においてはＲＡＭ１１に記憶されている上記カウント値ｎと、消磁回路を動作させるために設定された電源投入回数に対応する定数ｍとについて、ｎ≧ｍとされているか、つまり、現在までの電源投入回数が消磁回路を動作させるために設定された回数以上となったかどうかについて判別している。なお、この定数ｍは予めＲＡＭ１１に記憶保持されている。ここで、ｎ≧ｍではないと判別された場合には消磁回路は動作させずに、そのままメインのルーチンに戻るようにされ、ｎ≧ｍとなるまでこの処理を繰り返すことになる。
一方、ｎ≧ｍであると判別された場合には、ＣＰＵ１０はステップF104に進んで消磁スイッチＳＷをオンとする。これにより前述のようにしてポジスタＰを介して消磁コイル８に消磁電流が供給されてＣＲＴ７の消磁が行われる。この後、ステップF105に戻りカウンタ１３のカウンタ値ｎについてｎ＝０とリセットしてメインのルーチンに戻るようにされる。
ただし、何らかの原因によりＲＡＭ１１の記憶内容が消去されてしまったような場合には、例えば記憶内容が消去された後の最初の電源投入時に必ず消磁回路を動作させるなどの措置をとることが好ましい。
【００１５】
次に、本発明の他の実施例について図３のフローチャートを参照して説明する。なお、表示装置は先の実施例で説明した図１の回路構成と同様でよい。
この実施例ではＡＣプラグ１が商用電源のコンセントからいったん抜かれ、再び差し込まれた場合に消磁を行うようにされる。例えば、ＣＲＴ表示装置を移動させた場合、地磁気や他の機器の磁気の影響などでＣＲＴが着磁する可能性があるが、ＡＣプラグ１の抜き差しが行われる場合というのは、機器本体を移動させた可能性が強いことから、本実施例のように構成すれば機器本体移動後のＣＲＴの着磁は必ず消磁されることになる。
例えば、ＡＣプラグ１がコンセントから抜かれて商用電源が電源部１に供給されなければ、ＣＰＵ１０に対する電源供給も停止するが、再びＡＣプラグ１が差し込まれるとＣＰＵ１０には電源が入力される。そこで、ＣＰＵ１０では図３に示すように、この状態を検出した場合（F201）に消磁スイッチＳＷをオンとして消磁回路を動作させ（F202）、メインのルーチンに戻るようにされる。
【００１６】
次に更に他の実施例について説明する。この実施例では図１のタイマー１４により、予め設定された絶対的時間あるいは電源オン期間の延べ時間を計時して、このタイマーの計時時間が所定時間を越えた場合に消磁回路を動作させるようにするものである。つまり、この実施例では実際に画像に影響を与える平均的なＣＲＴの着磁量の蓄積期間に基づいて所定時間を設定して、消磁を図るものである。
この場合のＣＰＵ１０の処理動作は、図４のフローチャートに示すように、タイマー１４が所定時間経過するのを待機して（F301) 、所定時間が経過すると消磁スイッチＳＷをオンとしてＣＲＴの消磁を行い（F302）、タイマー１４の計時時間をリセット（F303）してから元のルーチンに戻るようにされる。
【００１７】
次に説明する実施例においては、機器本体が移動されたことを検出するためのセンサ部１５が設けられて、センサ部１５により実際に機器の移動が検出された場合にＣＲＴの消磁を行うようにされる。
【００１８】
この場合、センサ部１５としてはジャイロ素子の他、例えば図８（ａ）〜（ｃ）に示すようなセンサを設けることが考えられる。図８（ａ）はインダクタＢのコイルの内側に位置するように金属棒Ａが吊り下げられた検出素子であり、この場合には機器の移動によって揺れる金属棒ＡのためにインダクタＢに現れるインダクタンスの変化を機器の移動として検出するものである。
図８（ｂ）のセンサ部１５は、筒状の導体Ｃの内部に円柱上の導体Ｄが通常は互いに絶縁するようにして吊り下げられており、例えば導体Ｃには正極ライン（＋Ｖ）が、導体Ｄはグラウンドライン（ＧＮＤ）が接続されている。そして、機器が移動されると揺れている導体Ｄが導体Ｃに接触して正極ライン（＋Ｖ）とグラウンドライン（ＧＮＤ）が導通し、機器の移動が検出される。
図８（ｃ）の断面図に示すセンサ部１５は、図のように皿状の容器Ｅの中に導体の球Ｆが入れられている。そして、容器Ｅの内壁部には図のようにリング状の正極ライン電極Ｐ1 とグラウンドライン（ＧＮＤ）電極Ｐ2 がある間隔を有して配されている。そして、機器の移動により揺れが起こると容器Ｅの中を球Ｆが転がるが、この際、球Ｆが電極Ｐ1 とＰ2 の両方にまたがるように同時に接触することで正極ライン（＋Ｖ）とグラウンドライン（ＧＮＤ）が導通し、機器の移動を検出することになる。
なお、図８に示したセンサ部１５は一例であり、ほかにも機器の移動に応じた揺れや振動が検出可能なセンサであれば、これらを用いてよい。また、その検出感度は実際に相応量の着磁が生じると想定される機器の移動程度に対応して設定されればよい。
【００１９】
この場合のＣＰＵ１０の処理動作としては、図５のフローチャートに示すようになる。つまり、ステップF401においてセンサ部１５から機器本体の移動を示す検出信号が検出されると、ステップF402に進みセンサ部１５において機器の移動の終了を待機する。これは、機器の移動が検出されてから直ちに消磁回路を動作させると、まだユーザーが移動作業中である可能性があることによる。そして、この判別方法としては例えばセンサ部１５から機器の移動を示す検出信号の出力が停止されてから所定時間経過した時点で機器の移動終了と見做すなどの処理を行うことが考えられる。そして、このステップF402で機器の移動終了が判別されると消磁回路を動作させてＣＲＴの消磁を行って（F403）、もとのルーチンに戻るようにされる。
なお、ステップF402の処理としては、例えば電源オンを待機するように構成しても良く、この場合には機器が移動されて後、最初に電源がオンになった時に消磁回路が動作する。
【００２０】
ところで、機器本体の近傍にスピーカや他の電子機器などが置かれていると、これらから発生する磁界の影響でＣＲＴが着磁する。そこで、次に説明する更に他の実施例では、センサ部１５として機器本体の外部の磁界を検出することができるように磁気センサを機器内部あるいは外部に対して設け、この磁気センサにより外部の磁界が検出された場合には、ＣＲＴが着磁した可能性が高いとして消磁を行うように構成される。このような磁気センサとしては、例えばホール素子を用いることができる。また、機器本体の前面パネルにコイルを設けて、このコイルに流れる電流の外部磁界の影響による変化に基づいて検出することも考えられる。
【００２１】
また、このような場合には、たとえＣＲＴの消磁を行っても、依然として機器本体の近くに磁界を発しているものがあると再び着磁して、いたずらに消磁動作が繰り返されることにもなる。これらの磁界発生源は機器の周囲から取り除かれることが必要であるが、ユーザーによっては外部磁界の影響で着磁していることが分からない場合もある。そこで、本実施例では、画面上にＣＲＴを着磁させる可能性のある物体を、そこから取り除くように促す指示表示が行われるように構成される。なお、この表示形態としては文字表示によるもの、あるいはアイコン表示などによるものなど任意である。また、同時に音声を用いて磁界発生源を取り除くメッセージがなされるようにしてもよい。
【００２２】
図６は本実施例の消磁動作時のＣＰＵ１０の処理を示すフローチャートである。このルーチンにおいては、センサ部１５（磁気センサ）により外部磁界が検出されたかどうかについて判別しており（ステップF501）、ここで外部磁界が検出されると、ＣＰＵ１０はステップF502に進んで、上述の指示表示が行われるように制御を行う。このため、本実施例では例えばＣＰＵ１０内に設けられるＲＯＭ（図示しない）に指示表示に対応するキャラクタデータを予め記憶保持しており、ステップF502において上記キャラクタデータに基づいてオンスクリーンディスプレイ４を制御することで、このオンスクリーンディスプレイ４から合成器５を介してＣＲＴ７に映像信号が供給されることで指示表示が行われる。この際、映像信号処理部３から他の映像信号が供給されていれば、この映像信号処理部３から供給された画像に対して指示表示がスーパインポーズされた表示形態となる。
【００２３】
次に、ＣＰＵ１０はステップF503に進んで外部磁界が検出されない状態となったか、つまり磁界発生源が機器本体の周囲から無くなったかどうかについて判別しており、ここで外部磁界の検出が継続されていればステップF502に戻って指示表示を継続する。一方、このステップで外部磁界の検出がされない、つまり、磁界発生源が無くなったと判別されると、ステップF504に進んで指示表示を停止させ、次のステップF505で消磁回路を動作させて元のルーチンに戻るようにされる。
【００２４】
次に説明する更に他の実施例では、センサ部１５が磁気センサとされることは先の実施例と同様であるが、この実施例では検出する対象はＣＲＴ７の残留着磁量とされる。つまり、機器の様々な使用条件によりＣＲＴ７は着磁したり、通常使用でも着磁量が蓄積されるが、実際の表示画像に影響を与える程度のＣＲＴ７の着磁量に基づいて設定した、所定の着磁量が検出された場合に、ＣＲＴの消磁を行うように構成される。
【００２５】
この実施例の場合のＣＰＵ１０の処理動作としては、図７のフローチャートに示すようにセンサ部１５（磁気センサ）の検出情報に基づいてＣＲＴ７の着磁が所定量以上であるかどうかを判断しており（F601）、所定量以上であると判別された場合には消磁回路を動作させて（F602）もとのルーチンに戻るようにされる。
【００２６】
ところで、本発明においては上記各実施例をそれぞれ単独に用いてもよいが、これらの実施例を各種条件に応じて組み合わせて採用することもでき、これにより、できるだけ無駄とされる消磁動作の回数を削減しながら適切な消磁動作のタイミングを得ることが、更に綿密なバランスをもって行われるようにされる。
また、このような上記各実施例の消磁動作の組み合わせパターンは任意であり、予め設定されていても構わないし、ユーザーにより選択してプリセットできるようにすることも考えられる。
【００２７】
なお、上記各実施例はＣＲＴを備えたテレビジョン受像機について説明したが、例えばコンピュータのモニタ装置など、他のＣＲＴを用いた表示装置に本発明が適用されてよいことはいうまでもない。
【００２８】
【発明の効果】
以上説明したように本発明の表示装置は、電源投入回数、ＡＣプラグの抜き差し、所定の条件での経過時間、機器本体の移動、及び外部磁界あるいはＣＲＴ自体の残留磁気を検出した結果に基づいて消磁回路を動作させるように構成したことから、従来のように電源オンのたびに消磁を行うのではなく、ある条件のもとで必要な場合にのみ消磁が行われることとになり、それだけ無駄な電力消費が解消されるという効果を有している。またこれに伴って、電源オン直後の消磁動作により発せられる音や画像の揺れなどが起こる回数が減るため、ユーザーにとってもそれだけ扱いやすい機器となる。また、ポジスタなどの消磁回路を形成する部品の寿命をより伸ばすことが可能になる。
【００２９】
また、機器本体の外部磁界を検出して消磁を行う構成の場合には、外部の磁界発生源を遠ざけるように促す表示を行うことで、ユーザー自身が原因を分かって対処することができることにもなる。
更に、例えば複数の表示装置を狭い間隔で並べて使用するなど、著しくＣＲＴに着磁する可能性が高い使用状態の場合には、本発明のように所定の判断基準に基づいて消磁を行うようにすることで、ＣＲＴの着磁の影響のない画像をほぼ常時安定して表示させるようにすることができるという効果も有している。
【図面の簡単な説明】
【図１】本発明の実施例の構成を示すブロック図である。
【図２】実施例の消磁動作時における処理動作を示すフローチャートである。
【図３】他の実施例の消磁動作時における処理動作を示すフローチャートである。
【図４】更に他の実施例の消磁動作時における処理動作を示すフローチャートである。
【図５】更に他の実施例の消磁動作時における処理動作を示すフローチャートである。
【図６】更に他の実施例の消磁動作時における処理動作を示すフローチャートである。
【図７】更に他の実施例の消磁動作時における処理動作を示すフローチャートである。
【図８】移動検出のためのセンサ部の例を示す図である。
【図９】消磁コイルに供給される電流を示す波形図である。
【符号の説明】
１  ＡＣプラグ
２  電源部
３  映像信号処理部
４  オンスクリーンディスプレイ
５  合成器
６  偏向処理部
７  ＣＲＴ
８  消磁コイル
９  偏向コイル
１０  ＣＰＵ
１１  ＲＡＭ
１２  操作部
１３  カウンタ
１４  タイマー
１５  センサ部
ＳＷ  スイッチ
Ｐ  ポジスタ
【図１】
0003541468.tif 000002
【図２】
0003541468.tif 000003
【図３】
0003541468.tif 000004
【図４】
0003541468.tif 000005
【図５】
0003541468.tif 000006
【図６】
0003541468.tif 000007
【図７】
0003541468.tif 000008
【図８】
0003541468.tif 000009
【図９】
0003541468.tif 000010